(57)【要約】【課題】本発明は、スコップで氷などを容器に注ぐ際に氷が詰まったり、氷を溢したりすることなく、容器にスムーズに注ぐことができるスコップを提供する。【解決手段】底面、前記底面から上方に延伸し互いに対向する第１側壁および第２側壁、および、前記第１側壁の後端から斜めに延伸する第３側壁、前記第３側壁の外側面に設けられた把持部、および、前記第２側壁の後端と前記第３側壁との間の開口に設けられた注ぎ口を備えるスコップであって、前記底面における前記第１側壁の先端と前記第２側壁の先端との間の開口で対象物を掬い、前記注ぎ口から前記対象物を注ぐ際に、前記第３側壁によって前記対象物を前記注ぎ口へと誘導する。【選択図】図１
2020094772.tif 000002
【特許請求の範囲】
【請求項１】
底面、前記底面の両側辺から上方に延伸し互いに対向する第１側壁および第２側壁、および、前記第１側壁の後端から前記第２側壁の方に斜めに延伸し、前記底面の後端に位置する第３側壁、前記第３側壁の外側面から突出するように設けられた把持部、および、前記第２側壁の後端と前記第３側壁との間の開口に設けられた注ぎ口を備えるスコップであって、
前記底面における前記第１側壁の先端と前記第２側壁の先端との間は、対象物を掬う開口となっており、
前記注ぎ口から前記対象物を注ぐ際に、前記第３側壁によって前記対象物を前記注ぎ口へと誘導することを特徴とするスコップ。
【請求項２】
前記注ぎ口は、前記第２側壁と前記第３側壁との間の開口において前記底面から斜め後方に向かって下方に傾斜して延伸している底面部を有し、前記第３側壁が前記底面部と接続されていることを特徴とする、請求項１に記載のスコップ。
【請求項３】
前記注ぎ口の底面部は、先細り形状を有することを特徴とする、請求項１または２に記載のスコップ。
【請求項４】
前記注ぎ口の底面部の縁から上方に突出し、前記第２側壁と接続されたガイド部が設けられていることを特徴とする、請求項１〜３のいずれか１項に記載のスコップ。  
【請求項５】
前記底面の先端側は、上方に傾斜していることを特徴とする、請求項１〜４のいずれか１項に記載のスコップ。
【請求項６】
前記把持部の上面は前記注ぎ口の底面部とは反対方向に下方に傾斜していることを特徴とする、請求項１〜５のいずれか1項に記載のスコップ。
【発明の詳細な説明】
【技術分野】
【０００１】
本発明は、氷などの対象物を掬って、ジョッキ、グラスといった容器に注ぐスコップに関する。
【背景技術】
【０００２】
飲食店などでジョッキ、グラスといった容器に製氷機の貯氷室から氷を掬って入れる際に、製氷機に備え付けの手持ちの小さなスコップが用いられている。この場合、スコップの先端で氷を掬い、スコップの先端から氷を注ぐことから、スコップで氷を容器に注ぐ際に氷が零れる、あるいは、溢れ出るという問題があった。
【０００３】
このように氷などを容器に注ぐ際に、注ぎ易くすることを目的としたスコップ（特許文献１，２）も存在しているが、特許文献１のように、スコップの把手部に中空貫通孔を設けて、貫通孔の中を氷を通過させる構造のスコップでは、貫通孔の中で氷が詰まる可能性があり、特に、大きい氷の場合、貫通孔への入口で複数の氷が重なり合って貫通孔に入らなくなる可能性が高く、飲食店で使用する業務用のスコップとしての使用には適していない。
【０００４】
特許文献２のように、大きさの異なる２つの氷放出口を設け、大きい氷放出口から氷を掬い、小さい氷放出口から氷を注ぐ構造のスコップでは、氷を注ぐ際に使用する小さい方の氷放出口の側壁あるいは放出口付近で氷が引っ掛かる可能性が高く、氷の引っ掛かりを解除して氷を注ぐためにスコップを揺するあるいは大きく傾ける動作を行う必要があり、このような動作によって氷を溢したりするので、スムーズに氷を注ぐことができないという問題があった。
【先行技術文献】
【特許文献】
【０００５】
【特許文献１】特開２００３−３４３９５２号公報
【特許文献２】特開２００３−１６１５５６号公報
【発明の概要】
【発明が解決しようとする課題】
【０００６】
そこで、本発明は、従来のスコップによって氷などを注ぐ際に氷が詰まる、氷を溢すといった問題を解決し、氷などを掬って容器にスムーズに注ぐことができるスコップを提供することを目的とする。
【課題を解決するための手段】
【０００７】
本発明のスコップは、底面、前記底面の両側辺から上方に延伸し互いに対向する第１側壁および第２側壁、および、前記第１側壁の後端から前記第２側壁の方に斜めに延伸し、前記底面の後端に位置する第３側壁、前記第３側壁の外側面から突出するように設けられた把持部、および、前記第２側壁の後端と前記第３側壁との間の開口に設けられた注ぎ口を備えるスコップであって、前記底面における前記第１側壁の先端と前記第２側壁の先端との間は、対象物を掬う開口となっており、前記注ぎ口から前記対象物を注ぐ際に、前記第３側壁によって前記対象物を前記注ぎ口へと誘導することを特徴とする。
【０００８】
前記注ぎ口は、前記第２側壁と前記第３側壁との間の開口において前記底面から斜め後方に向かって下方に傾斜して延伸している底面部を有し、前記第３側壁が前記底面部と接続されている。
【０００９】
前記注ぎ口の底面部は、先細り形状を有している。
【００１０】
前記注ぎ口の底面部の縁から上方に突出し、前記第２側壁と接続されたガイド部が設けられている。
【００１１】
前記底面の先端側は、上方に傾斜している。
【００１２】
前記把持部の上面は前記注ぎ口の底面部とは反対方向に下方に傾斜している。
【発明の効果】
【００１３】
本発明のスコップは、底面、前記底面の両側辺から上方に延伸し互いに対向する第１側壁および第２側壁、および、前記第１側壁の後端から前記第２側壁の方に斜めに延伸し、前記底面の後端に位置する第３側壁、前記第３側壁の外側面から突出するように設けられた把持部、および、前記第２側壁の後端と前記第３側壁との間の開口に設けられた注ぎ口を備えるスコップであって、前記底面における前記第１側壁の先端と前記第２側壁の先端との間は、対象物を掬う開口となっており、前記注ぎ口から前記対象物を注ぐ際に、前記第３側壁によって前記対象物を前記注ぎ口へと誘導することにより、氷などの対象物をコップなどの容器に注ぐ際に、掬った対象物を簡単な動作でスムーズに容器へと注ぐことができるようになる。
【００１４】
前記注ぎ口は、前記第２側壁と前記第３側壁との間の開口において前記底面から斜め後方に向かって下方に傾斜して延伸している底面部を有し、前記第３側壁が前記底面部と接続されていることにより、掬った対象物をよりスムーズに容器に注ぐことができる。
【００１５】
前記注ぎ口の底面部が先細り形状を有することにより、対象物を容器に溢れさせることなく注ぐことができるようになる。
【００１６】
前記注ぎ口の底面部の縁から上方に突出し、前記第２側壁と接続されたガイド部が設けられていることにより、前記注ぎ口から対象物が零れるのを防止することができる。
【図面の簡単な説明】
【００１７】
【図１】本発明のスコップの斜視図である。
【図２】本発明のスコップの平面図である。
【図３】本発明のスコップの側面図である。
【図４】本発明のスコップの正面図である。
【発明を実施するための形態】
【００１８】
本発明のスコップ１を、図を用いて以下に詳細に説明する。図１が本発明のスコップ１の斜視図であり、図２が平面図、図３が側面図、図４が正面図である。
【００１９】
本発明のスコップ１は、図１〜４に示すように、底面２、前記底面２の両側辺に設けられ、互いに対向する第１側壁３および第２側壁４、および、前記第１側壁３の後端から延伸する第３側壁５、前記第３側壁５の外側面に設けられた把持部６、および、前記第２側壁４の後端と前記第３側壁５との間の開口に設けられた注ぎ口７が樹脂によって一体に形成されており、氷などの対象物を先端で掬って、前記注ぎ口７からジョッキ、グラスなどの容器に対象物を注ぐために使用される。
【００２０】
図３に示すように、前記底面２の先端部分は上方に湾曲して傾斜しており、かつ、先端部分は先端に向かって厚みが薄くなっていることから、前記コップ１は氷などの対象物を掬い易く、かつ、掬った対象物が先端から零れるのを防止することができる。
【００２１】
前記第１側壁３および前記第２側壁４は、前記底面２の左右の両側辺から上方に延伸するように形成されており、前記底面２と共に略コ字状断面を形成している。また、前記第１側壁３と前記第２側壁４との間隔は上方に向かって広くなるように、それぞれがわずかに外側に傾斜して形成されている。前記第１側壁３および前記第２側壁４の先端部分は、図２に示すように、内側面が外側に向かって傾斜していることによって先端に向かって厚みが薄くなっている。これにより、前記第１側壁３と前記第２側壁４との間隔が先端に向かって広くなることから、氷などを掬い易くなる。
【００２２】
図２に示すように、前記第３側壁５は、前記第１側壁３の後端から左側（前記第２側壁４に近づく方向）に折れ曲がって、斜めに延伸するように形成されており、前記第１側壁３と前記第３側壁５とは、略「く」の字状の平面形状を有するように配置されている。図２の平面図では、前記第１側壁３と前記第３側壁５とは約１１０°の角度をなすように形成されているが、角度については特に限定するものではない。図２に示すように、前記第１側壁３と前記第３側壁５との折れ曲がり部分は曲面で構成されており、掬われた対象物がスムーズに前記注ぎ口７へと移動するようになっている。
【００２３】
図１，３に示すように、前記第２側壁４の後端は、前記第３側壁５とは接続されておらず、前記２側壁４と前記第３側壁５との間は開口となっており、前記開口に前記注ぎ口７が形成されている。前記注ぎ口７は、前記底面２から斜め後方に向かって、前記底面２から下方へと傾斜して延伸している底面部８を有している。図２に示すように、前記注ぎ口７の底面部８は先端に向かって幅が狭くなり、さらに、容器に注ぎ易くするために、先端部分が略三角形を有する先細り形状を有している。前記注ぎ口７の大きさ及び形状は、対象物および注ぐ容器に応じて適宜、変更することができる。
【００２４】
前記注ぎ口７の底面部８の側縁の１つが前記第３側壁５の下端と接続されており、もう１つの側縁には、上方に突出したガイド部９が設けられている。図１，４に示すように、前記第３側壁５の端部は段差によって低くなっており、氷などを容器に注ぐ際に、段差の部分を容器の口に当てることで、氷などが注ぎ易くなる。前記ガイド部９の一端は前記第２側壁４と接続されているが、図１，３に示すように、前記ガイド部９は前記第２側壁４よりも高さが低いことから、段差が形成されている。前記注ぎ口７から氷などを注ぐ際に、前記ガイド部９によって氷が零れるのを防止することができる。また、前記注ぎ口７が先細り形状を有している場合、前記ガイド部９が高いと氷などが詰まることがあるが、前記ガイド部９の高さを低くすることにより、このような詰まりを防止することもできる。
【００２５】
前記第３側壁５の外側面には、図１から３に示すように、後方に延伸する把持部６が設けられている。前記把持部６の後端部分には貫通孔１０が設けられており、前記スコップ１をフックなどに掛けておくことができる。図４に示すように、前記把持部６の上面は、前記注ぎ口７の底面部８とは反対方向に下方（右斜め下）に傾斜している。前記把持部６の上面は前記第３側壁５の上端へとつながっていることから、前記第３側壁５の上端も前記把持部６の上面と同様に傾斜した形状を有している。
【００２６】
前記第２側壁４と前記底面２との接続部分、前記第３側壁５と前記底面２および前記底面部８との接続部分は曲面で面取りされており、掬った対象物が角で引っ掛かることなくスムーズに移動できるように形成されている。
【００２７】
本発明のスコップ１の大きさは、対象物および注ぐ容器によって適宜、変更することが可能である。例えば、氷を対象物とした場合、飲食店で使用する一般的な約３ｃｍ角の氷を、ジョッキなどに注ぐことを想定すると、先端の幅を約１１ｃｍ、全長を約２８ｃｍとし、一度に、１５個前後の氷を掬うことができる大きさとする。これにより、前記スコップ１で１回氷を掬うと、２つの中ジョッキに氷を注ぐことができる。本発明のスコップ１は、対象物を氷だけに限定するのではなく、スコップ１全体の大きさおよび形状、さらに、ガイド部９の大きさおよび形状を変更することにより、その他の用途に使用することも可能である。
【００２８】
本発明のスコップ１は、樹脂によって一体成型されているが、一部を別パーツとすることも可能であり、材質についても樹脂以外を使用して形成することも可能である。
【００２９】
次に、本発明のスコップ１の使用方法について説明する。本発明のスコップ１を氷を対象物として使用する場合、氷を掬うために製氷機の貯氷器にスコップ１の先端を下側に向けた状態で差し入れて氷を掬う。その後、前記スコップ１の先端を上に上げながら氷が零れないように貯氷器から取り出す。
【００３０】
この時、前記スコップ１の把持部６の上面が傾斜していることにより、前記スコップ１の底面２は、先端を上げた状態で、さらに、前記スコップ１内の氷が前記注ぎ口７から零れないように斜め右下に傾いた状態となり、前記スコップ１内の氷は前記注ぎ口７から零れないようにすることができる。前記把持部６の上面を傾斜させない場合は、手首を右に返す、あるいは右に傾ける動作によって、前記スコップ１を右側に傾けることにより、前記注ぎ口７から氷が零れないようにすればよい。
【００３１】
このようにして、前記スコップ１内に氷を入れた状態で、前記スコップ１の注ぎ口７とジョッキなどの容器の口部とを近づけて、前記スコップ１の先端を上げたままの状態で、前記スコップ１を持つ手の手首を左に返す動作を行って、前記スコップ１を左側へと傾けながら、前記注ぎ口７を容器の口部の中へ入れると、前記スコップ１内の氷は前記第３側壁５に沿って注ぎ口7へと移動し、前記注ぎ口７の底面部８の上を滑って容器内へと注がれる。
【００３２】
この時、前記スコップ１の第３側壁５の段差の部分と、第２側壁４とガイド部９との段差の部分を容器の口の縁に当てると、前記スコップ１を安定した状態で氷を注ぐことができる。そして、前記注ぎ口７の底面部８が下方に傾斜していることにより、前記第３側壁５に沿って注ぎ口７側へと移動された氷がスムーズに容器内に注ぐことができる。
【００３３】
さらに、前記注ぎ口７のガイド部９によって、氷が前記第２側壁４と前記第３側壁５との間の開口で詰まることなく、そして、零れることなく注ぎ口７から注ぐことができるようになる。
【００３４】
本発明のスコップ１によって、氷などの対象物を容器に注ぐ際に、対象物を掬った後、前記スコップ１を揺するなどの余分な動作を行うことなく、手首を返す動作を行うだけで、対象物を滞留させることなくスムーズに注ぐことができるというすぐれた効果を奏し、これにより、使用する人の負担を減少させ、また、よりスムーズに作業することができるようになる。
【００３５】
本発明のスコップ１は、右利きの人が使用することを想定しているが、左利きの人が使用しても従来のスコップに比べて使用する人の負担がはるかに少なく、また左利きの人がより使い易くするために、前記注ぎ口７を右側に設け、前記把持部６の上面の傾斜を反対とすることによって対応することも可能である。
【符号の説明】
【００３６】
１    スコップ
２    底面
３    第１側壁
４    第２側壁
５    第３側壁
６    把持部
７    注ぎ口
８    底面部
９    ガイド部
１０  貫通孔
【図１】
2020094772.tif 000003
【図２】
2020094772.tif 000004
【図３】
2020094772.tif 000005
【図４】
2020094772.tif 000006